(57)【要約】【課題】蓋体３４を容器３３に対して容易に着脱でき、蓋体３４と容器３３との密閉性を確保できる収納装置３１を提供する。【解決手段】蓋体３４の閉鎖時に、蓋体３４の後部側を容器３３の両側から立設した案内部５０間に嵌め合わせる。両側の案内部５０による案内に従って蓋体３４を後方へ移動させ、蓋体３４の後部側の係合突部６８を容器３３の係合孔５３に挿入する。蓋体３４の前部側を下降させ、蓋体３４の前部側のフック部７２を容器３３のフック受部５５に係止し、蓋体３４を閉鎖する。また、蓋体３４の開放時に、蓋体３４のフック部７２を容器３３のフック受部５５から外し、蓋体３４の前部側を上方へ移動させる。蓋体３４を前方へ移動させ、蓋体３４の係合突部６８を容器３３の係合孔５３から外し、蓋体３４を開放する。容器３３に対して、蓋体３４の後部側の係合突部６８を係合させ、前部側のフック部７２を係止するため、パッキング６９を介して蓋体３４と容器３３との密閉性を確保できる。【選択図】　　　　図１
2004035028.tif 000002
【特許請求の範囲】
【請求項１】
上部に開口部が設けられた容器本体、この容器本体の開口部の後部側に設けられた係合受部、容器本体の開口部の前部側に設けられたフック受部、および容器本体の開口部の両側に設けられた案内部を有する容器と、
この容器の両側の案内部で案内されて開口部を開閉する蓋部、この蓋部の後部側に設けられ係合受部に前方から挿脱可能に係合する係合部、および蓋部の前部側に設けられ蓋部の閉鎖位置でフック受部に着脱可能に係止するフック部を有する蓋体と
を具備していることを特徴とする収納装置。
【請求項２】
蓋体の係合部は、蓋部の後部側から突設された係合突部であり、
容器の係合受部は、係合部が前方から挿脱可能とするとともに挿入状態でその挿入箇所を支点とする蓋体の開閉回動を許容する係合孔である
ことを特徴とする請求項１記載の収納装置。
【請求項３】
蓋体は、蓋部の前部側に設けられ蓋体の閉鎖時に容器本体の開口部の内側に係合するガイド部を有し、
容器のフック受部は、容器本体の前面に設けられ、
蓋体のフック部は、容器本体の前面のフック受部に着脱可能に係止する
ことを特徴とする請求項１または２記載の収納装置。
【請求項４】
蓋体は、蓋部の前部側から立設された摘み部を有し、
蓋体のフック部は、摘み部の前側に位置し、フック部をフック受部に対して着脱操作する操作部を有している
ことを特徴とする請求項３記載の収納装置。
【請求項５】
蓋体は、この蓋体の閉鎖時に容器本体の開口部の周縁に接触する弾性を有するパッキングを有している
ことを特徴とする請求項１ないし４いずれか記載の収納装置。
【請求項６】
飲料の原料を収納する請求項１ないし５いずれか記載の収納装置と、
この収納装置から原料を繰り出す原料繰出手段と
を具備していることを特徴とする原料供給装置。
【発明の詳細な説明】
【０００１】
【発明の属する技術分野】
本発明は、容器に蓋体を開閉可能に設けた収納装置および原料供給装置に関する。
【０００２】
【従来の技術】
従来、カップに飲料を入れて提供販売するカップ式飲料自動販売機では、粉末原料を使用する飲料の場合、粉末原料を収納する原料供給装置から所定量の粉末原料を繰り出してカップに受け取り、このカップ内に例えば湯タンクから湯を注入し、カップ内で粉末原料と湯とを攪拌混合して提供している。また、コーヒー豆原料を使用する飲料の場合、コーヒー豆を収納する原料供給装置から所定量のコーヒー豆を繰り出し、繰り出したコーヒー豆をミルで挽き、挽いたコーヒー豆と湯タンクから出湯された湯とを混合容器に入れて混合し、フィルタを通じて混合容器からコーヒー液のみを抽出し、カップに注いで提供している。
【０００３】
このようなカップ式飲料自動販売機に用いられる原料供給装置としては、例えば、特開平７−１６０９４４号公報または特開２０００−１０５８７０号公報に記載されている構成が知られている。この原料供給装置は、容器の上部に開口部が設けられ、この容器の後部に蓋体の後部側がヒンジを介して連結されており、ヒンジを支点として蓋体の前部側が上下方向に開閉可能に構成されている。
【０００４】
また、蓋体を容器の上方から着脱可能に被せるようにした構成もある。
【０００５】
【発明が解決しようとする課題】
ところで、自動販売機は、小さい設置スペースにも配置できるように、小型化が進んでいる。特に、コーヒー豆原料を収納する原料供給装置は、下側部に、ミル機構、混合容器を含むコーヒー抽出機構などが配置される関係から、どうしても自動販売機の機体の上部側に配置されてしまう。そのため、原料供給装置の上部が機体の天井部分に近い位置に配置される。
【０００６】
そのため、上記公報に記載の原料供給装置のように、蓋体の後部側のヒンジを支点として蓋体の前部側を上方に開ける構成では、開こうとする蓋体の前部側が機体の天井部分に当接してしまい、蓋体を十分に開放することができず、容器への原料の投入操作がしにくい問題がある。
【０００７】
また、蓋体を容器の上方から着脱可能に被せるようにした構成では、蓋体を取り外せるために容器への原料の投入操作が容易になるが、機体の上部側に配置された原料供給装置の蓋体を着脱操作するのは容易でなく、さらに、原料の劣化を防止するために密閉性を確保する必要があるが、蓋体を容器の上方から被せるだけでは、たとえパッキングを用いたとしても確実かつ十分な密閉性が確保できない問題がある。
【０００８】
本発明は、このような点に鑑みなされたもので、蓋体を容器に対して容易に着脱でき、蓋体と容器との密閉性の確保も容易にできる収納装置および原料供給装置を提供することを目的とする。
【０００９】
【課題を解決するための手段】
請求項１記載の収納装置は、上部に開口部が設けられた容器本体、この容器本体の開口部の後部側に設けられた係合受部、容器本体の開口部の前部側に設けられたフック受部、および容器本体の開口部の両側に設けられた案内部を有する容器と、この容器の両側の案内部で案内されて開口部を開閉する蓋部、この蓋部の後部側に設けられ係合受部に前方から挿脱可能に係合する係合部、および蓋部の前部側に設けられ蓋部の閉鎖位置でフック受部に着脱可能に係止するフック部を有する蓋体とを具備しているものである。
【００１０】
そして、この構成では、蓋体の閉鎖時に、容器の両側の案内部による案内に従って蓋体を前方から移動させれば、蓋体の後部側の係合部が容器の係合受部に挿入され、蓋体の前部側のフック部を容器のフック受部に係止すれば、蓋体が閉鎖される。また、蓋体の開放時に、蓋体の前部側のフック部を容器のフック受部から外し、容器の両側の案内部による案内に従って蓋体を前方へ移動させれば、蓋体の後部側の係合部が容器の係合受部から外れ、蓋体が開放される。そのため、容器に対する蓋体の着脱が容易になる。さらに、容器に対して、蓋体の後部側の係合部が係合するとともに、前部側のフック部が係止するため、蓋体と容器との密閉性の確保が容易になる。
【００１１】
請求項２記載の収納装置は、請求項１記載の収納装置において、蓋体の係合部は、蓋部の後部側から突設された係合突部であり、容器の係合受部は、係合部が前方から挿脱可能とするとともに挿入状態でその挿入箇所を支点とする蓋体の開閉回動を許容する係合孔であるものである。
【００１２】
そして、この構成では、蓋部の後部側から突設された係合突部を容器の係合孔に挿入した状態で、その挿入箇所を支点とする蓋体の開閉回動を許容するため、蓋体の前部側を容器に対して容易に開閉移動させて、フック部をフック受部に対して容易に着脱可能になる。
【００１３】
請求項３記載の収納装置は、請求項１または２記載の収納装置において、蓋体は、蓋部の前部側に設けられ蓋体の閉鎖時に容器本体の開口部の内側に係合するガイド部を有し、容器のフック受部は、容器本体の前面に設けられ、蓋体のフック部は、容器本体の前面のフック受部に着脱可能に係止するものである。
【００１４】
そして、この構成では、蓋体の閉鎖時に、蓋体のガイド部が容器の開口部の内側に係合するため、容器に対する蓋体の前部側の閉鎖位置が位置決めされ、容器の前面のフック受部に係止する蓋体のフック部によって蓋体が閉鎖位置に確実に係止される。
【００１５】
請求項４記載の収納装置は、請求項３記載の収納装置において、蓋体は、蓋部の前部側から立設された摘み部を有し、蓋体のフック部は、摘み部の前側に位置し、フック部をフック受部に対して着脱操作する操作部を有しているものである。
【００１６】
そして、この構成では、蓋体の前部側から立設された摘み部とこの摘み部の前側に位置するフック部の操作部とを摘まむことにより、フック部がフック受部に対して容易に着脱されるとともに、摘み部およびフック部を摘まんだ状態で蓋体の開閉動作が可能となり、操作性が向上する。
【００１７】
請求項５記載の収納装置は、請求項１ないし４いずれか記載の収納装置において、蓋体は、この蓋体の閉鎖時に容器本体の開口部の周縁に接触する弾性を有するパッキングを有しているものである。
【００１８】
そして、この構成では、蓋体の閉鎖時に、蓋体のパッキングが容器本体の開口部の周縁に接触するため、蓋体と容器との密閉性が確保される。
【００１９】
請求項６記載の原料供給装置は、飲料の原料を収納する請求項１ないし５いずれか記載の収納装置と、この収納装置から原料を繰り出す原料繰出手段とを具備しているものである。
【００２０】
そして、この構成では、飲料の原料を収納する請求項１ないし５いずれか記載の収納装置を備えたため、原料の投入が容易になる。
【００２１】
【発明の実施の形態】
以下、本発明の一実施の形態を図面を参照して説明する。
【００２２】
図５にカップ式飲料自動販売機の内部構造の一部を示す。このカップ式飲料自動販売機は、機体１１とこの機体１１の前面を開閉する図示しない扉体とを有し、この機体１１の右側に沿って、飲料の原料としてコーヒー豆原料を使用するレギュラーコーヒー飲料を提供する飲料提供装置１２が設置されている。なお、機体１１内には、飲料提供装置１２の他に、粉末原料を使用する飲料を提供する飲料提供装置、湯、冷水、氷などを供給する供給装置、カップを収納供給するカップ供給装置、カップを搬送するカップ搬送装置などが配設されている。
【００２３】
飲料提供装置１２は、コーヒー豆原料を種類別に収納する複数の原料供給装置１３、これら原料供給装置１３から供給されるコーヒー豆原料を下方へ導くシュート１４、このシュート１４で導かれるコーヒー豆原料を挽くミル１５、このミル１５で挽いたコーヒー豆原料と湯供給装置から供給される湯とを混合する混合容器１６、この混合容器１６の下面側に対してコーヒー豆原料を捕獲してコーヒー液を濾過するフィルタ１７を供給するフィルタ供給装置１８、フィルタ１７を通じて混合容器１６からコーヒー液を抽出するシリンダ装置１９、このシリンダ装置１９からコーヒー液をカップに導く図示しない配管、および使用済みのフィルタ１７を回収する回収容器２０などを備えている。
【００２４】
次に、図１ないし図４に原料供給装置１３を示す。この原料供給装置１３は、コーヒー豆原料を収納する収納装置３１、およびこの収納装置３１からコーヒー豆原料を繰り出す原料繰出手段３２を有している。
【００２５】
収納装置３１は、容器３３、およびこの容器３３の上部に開閉可能に装着された蓋体３４を有している。
【００２６】
容器３３は、例えば、透光性を有する合成樹脂製で一体成形されており、前面部３７、後面部３８、両側の側面部３９、および底部４０を有する容器本体４１を備え、この容器本体４１の上部にコーヒー豆原料の投入口である開口部４２が形成され、内部にコーヒー豆原料を収納する収納部４３が形成されている。底部４０には前後方向に中心軸を有する円筒状のスクリュー配置部４４が形成され、このスクリュー配置部４４の前端にコーヒー豆原料を吐出する吐出口４５を有する吐出口部４６が突出形成され、後端面に軸受孔４７が形成されている。前面部３７、後面部３８および両側の側面部３９の下部側には互いに接近するように傾斜するシュート部４８が形成されている。
【００２７】
容器本体４１の上部は、前部側が低く、後部側が高く、前方へ向けて下降傾斜され、開口部４２が前方に臨んでいる。容器本体４１の上部には、開口部４２の周縁から外側に向けて突出する縁部４９が形成され、両側の縁部４９の外縁に沿って壁状の案内部５０が立設されているとともに、後部側の縁部４９の後縁から壁状の案内部５１が立設されている。
【００２８】
容器本体４１の後部側には、後部側の案内部５１の両側位置から後部側の縁部４９の両側位置に亘る位置に、係合受部５２として、前後方向および下方に開口する係合孔５３がそれぞれ形成されている。
【００２９】
容器本体４１の前部側には、容器本体４１の開口部４２の前縁の蓋体３４が係合する部分に、開口部４２の開口面に垂直な嵌合縁部５４が形成され、この嵌合縁部５４の前面側にフック受部５５が突設されている。
【００３０】
また、蓋体３４は、例えば透光性を有する合成樹脂製で一体成形されており、容器３３の上部の開口部４２を開閉する蓋部５８を有し、この蓋部５８の上面中央域には上方に突出する膨出部５９が形成され、蓋部５８の下面には開口部４２の内側に進入する環状の保持部６０が形成され、蓋部５８の周縁部には蓋縁部６１が形成されている。両側の蓋縁部６１の外端間の幅寸法Ｗ１は、容器３３の開口部４２の両側の内面間の幅寸法Ｗ２より広く、かつ、容器３３の両側の案内部５０の内面間の幅寸法Ｗ３より小さく形成されている。
【００３１】
環状の保持部６０の先端の外周には保持爪６２が突設され、この保持爪６２と蓋縁部６１との間に環状のパッキング６３を嵌合保持する溝部６４が形成されている。パッキング６３は、例えばシリコーン樹脂やゴムなどの弾性を有する材質で環状に形成されており、パッキング６３の周面は保持爪６２より外周に突出し、蓋体３４の閉鎖時に容器３３の開口部４２の内周面に圧接可能とする寸法に形成されている。
【００３２】
蓋部５８の後部側には、蓋体３４の下面側に下降傾斜される下降傾斜部６５が形成され、この下降傾斜部６５の幅方向の中間位置に、容器３３の後部側の案内部５１に当接するストッパ部６６が形成され、下降傾斜部６５の幅方向の両側位置に、容器３３の係合受部５２に前方から挿脱可能に係合する係合する係合部６７として、係合孔５３に前方から挿脱可能に係合する係合突部６８が突出形成されている。
【００３３】
蓋部５８の前部側下面には、蓋体３４の閉鎖時に容器３３の開口部４２の内側に係合するガイド部６９が形成され、このガイド部６９の前面には開口部４２の内側への挿入を容易にするための傾斜状のガイド面７０が形成されている。
【００３４】
蓋部５８の前部側の蓋縁部６１の上面には板状の摘み部７１が蓋縁部６１の上面に対して垂直に立設され、この摘み部７１の前側であって蓋縁部６１の前端縁にフック部７２の上下方向の中間部が連結された状態に一体に形成されている。フック部７２の下部にはフック受部５５に着脱可能に係止する爪部７３が形成され、フック部７２の上部には摘み部７１の前方に離間して配置される操作部７４が形成されている。摘み部７１とフック部７２との間の蓋縁部６１にはスリット７５がフック部７２の幅より幅広に形成され、フック部７２の蓋縁部６１との連結部分を支点とした揺動が許容されている。
【００３５】
また、原料繰出手段３２は、容器３３のスクリュー配置部４４に回転自在に配置されるスクリュー８１を有し、このスクリュー８１の後端の軸部が軸受孔４７に回転自在に軸支され、外部にジョイント８２が取り付けられている。
【００３６】
そして、原料供給装置１３を機体１１に設置した際に、機体１１側に取り付けられている図示しない駆動機構にジョイント８２が連結され、駆動機構の駆動によってスクリュー８１が回転駆動される。
【００３７】
また、容器３３の吐出口部４６にはスクリュー８１の配置後に、コーヒー豆原料の不用意なこぼれ落ちを防止するための吐出口キャップ８５がねじ８６で取り付けられている。
【００３８】
次に、本実施の形態の作用を説明する。
【００３９】
まず、容器３３に蓋体３４を取り付けて開口部４２を閉鎖する場合について説明する。
【００４０】
蓋体３４の摘み部７１およびフック部７２を持ち、図２に示すように、蓋体３４の後部側を容器３３の上部の両側の案内部５０間に挿入し、蓋体３４の両側の係合突部６８の先端を容器３３の両側の縁部４９上に当接させ、そのまま蓋体３４を後方へ移動させる。蓋体３４の後部側は両側案内部５０で案内されて、すなわち蓋体３４の後部側の幅方向の位置が両側案内部５０で規制されて、両側の係合突部６８の先端が両側の縁部４９上を後方へ摺動する。
【００４１】
両側の縁部４９上を後方へ摺動する両側の係合突部６８は容器３３の両側の係合孔５３に前方から挿入され、蓋体３４のストッパ部６６が容器３３の後部側の案内部５１に当接し、蓋体３４の後方への移動が規制される。
【００４２】
係合突部６８が係合孔５３に挿入された挿入部分を支点として蓋体３４の前部側を下降するように回動させることにより、蓋体３４のガイド部６９が容器３３の開口部４２の前端内側に進入し、容器３３に対する蓋体３４の前部側の閉鎖位置を位置決めする。フック部７２が容器３３の前面側を通じてフック受部５５に当接し、フック部７２が弾性変形しながらフック部７２の爪部７３がフック受部５５の下面側に係止し、その係止状態がフック部７２の弾性によって保たれる。
【００４３】
蓋体３４の閉鎖状態では、蓋体３４のパッキング６３が開口部４２の内周面に圧接し、容器３３と蓋体３４との密閉性が確保される。
【００４４】
また、容器３３から蓋体３４を取り外して開口部４２を開口させる場合について説明する。
【００４５】
摘み部７１とフック部７２の操作部７４とを摘み、フック部７２を蓋縁部６１との連結部分を支点として揺動させて爪部７３をフック受部５５から外し、そのまま上方へ持ち上げてガイド部６９を開口部４２の上方に移動させるとともに、蓋体３４を前方へ移動させることにより、係合突部６８が係合孔５３から抜け、蓋体３４を取り外し、容器３３の開口部４２を開口させることができる。
【００４６】
このように、蓋体３４の閉鎖時には、容器３３の両側の案内部５０による案内に従って蓋体３４を前方から移動させれば、蓋体３４の後部側の係合突部６８を容器３３の係合孔５３に挿入でき、蓋体３４の前部側のフック部７２を容器３３のフック受部５５に係止することにより、蓋体３４を閉鎖でき、また、蓋体３４の開放時には、蓋体３４の前部側のフック部７２を容器３３のフック受部５５から外し、容器３３の両側の案内部５０による案内に従って蓋体３４を前方へ移動させれば、蓋体３４の後部側の係合突部６８が容器３３の係合孔５３から外れ、蓋体３４を開放でき、そのため、容器３３に対して蓋体３４を容易に着脱できる。
【００４７】
さらに、容器３３に対して、蓋体３４の後部側の係合突部６８が係合するとともに、前部側のフック部７２が係止するため、蓋体３４と容器３３との密閉性の確保も容易にできる構造にできる。しかも、蓋体３４の閉鎖時に、蓋体３４のパッキング６３が容器３３の開口部４２の内周面に圧接するため、容器３３と蓋体３４との密閉性を確保できる。
【００４８】
また、蓋体３４の係合突部６８を容器３３の係合孔５３に挿入した状態で、その挿入箇所を支点とする蓋体３４の開閉回動を許容するため、蓋体３４の前部側を容器３３に対して容易に開閉移動させて、フック部７２をフック受部５５に対して容易に着脱できる。
【００４９】
また、蓋体３４の閉鎖時に、蓋体３４のガイド部６９が容器３３の開口部４２の内側に係合するため、容器３３に対する蓋体３４の前部側の閉鎖位置を位置決めでき、容器３３の前面のフック受部５５に係止する蓋体３４のフック部７２によって蓋体３４を閉鎖位置に確実に係止できる。
【００５０】
また、蓋体３４の前部側から立設された摘み部７１とこの摘み部７１の前側に位置するフック部７２の操作部７４とを摘まむことにより、フック部７２をフック受部５５に対して容易に着脱できるとともに、摘み部７１およびフック部７２を摘まんだ状態で蓋体３４の開閉動作ができ、操作性を向上できる。
【００５１】
そして、図５に示すように、原料供給装置１３が機体１１の上部に配置され、この原料供給装置１３の上部と機体１１の天井部分との間隔が狭い場合でも、蓋体３４を容易に着脱できるため、コーヒー豆原料の補給を容易にできる。
【００５２】
なお、前記実施の形態では、容器３３の係合受部５２を係合孔５３とし、蓋体３４の係合部６７を係合突部６８としたが、容器３３の係合受部５２を係合突部とし、蓋体３４の係合部６７を係合孔とするなど、互いに係合可能とする構造であれば、前記実施の形態と同様の作用効果が得られる。
【００５３】
また、前記実施の形態では、コーヒー豆原料を収納する原料供給装置１３の収納装置３１について説明したが、飲料の粉末原料を収納する原料供給装置の収納装置にも同様に適用でき、あるいは、飲料の原料以外のものを収納する収納装置にも適用でき、いずれの場合にも前記実施の形態と同様の作用効果を奏する。
【００５４】
【発明の効果】
請求項１記載の収納装置によれば、蓋体の閉鎖時には、容器の両側の案内部による案内に従って蓋体を前方から移動させれば、蓋体の後部側の係合部を容器の係合受部に挿入でき、蓋体の前部側のフック部を容器のフック受部に係止することにより、蓋体を閉鎖でき、また、蓋体の開放時には、蓋体の前部側のフック部を容器のフック受部から外し、容器の両側の案内部による案内に従って蓋体を前方へ移動させれば、蓋体の後部側の係合部が容器の係合受部から外れ、蓋体を開放でき、そのため、容器に対して蓋体を容易に着脱でき、さらに、容器に対して、蓋体の後部側の係合部が係合するとともに、前部側のフック部が係止するため、蓋体と容器との密閉性の確保も容易にできる。
【００５５】
請求項２記載の収納装置によれば、請求項１記載の収納装置の効果に加えて、蓋部の後部側から突設された係合突部を容器の係合孔に挿入した状態で、その挿入箇所を支点とする蓋体の開閉回動を許容するため、蓋体の前部側を容器に対して容易に開閉移動させて、フック部をフック受部に対して容易に着脱できる。
【００５６】
請求項３記載の収納装置によれば、請求項１または２記載の収納装置の効果に加えて、蓋体の閉鎖時に、蓋体のガイド部が容器の開口部の内側に係合するため、容器に対する蓋体の前部側の閉鎖位置を位置決めでき、容器の前面のフック受部に係止する蓋体のフック部によって蓋体を閉鎖位置に確実に係止できる。
【００５７】
請求項４記載の収納装置によれば、請求項３記載の収納装置の効果に加えて、蓋体の前部側から立設された摘み部とこの摘み部の前側に位置するフック部の操作部とを摘まむことにより、フック部をフック受部に対して容易に着脱できるとともに、摘み部およびフック部を摘まんだ状態で蓋体の開閉動作ができ、操作性を向上できる。
【００５８】
請求項５記載の収納装置によれば、請求項１ないし４いずれか記載の収納装置の効果に加えて、蓋体の閉鎖時に、蓋体のパッキングが容器本体の開口部の周縁に接触するため、蓋体と容器との密閉性を確保できる。
【００５９】
請求項６記載の原料供給装置によれば、飲料の原料を収納する請求項１ないし５いずれか記載の収納装置を備えたため、原料を容易に投入できる。
【図面の簡単な説明】
【図１】本発明の収納装置および原料供給装置の一実施の形態を示す蓋体の閉鎖状態の断面図である。
【図２】同上蓋体の閉鎖動作過程の一部の断面図である。
【図３】同上収納装置の容器を示し、（ａ）は平面図、（ｂ）は側面図、（ｃ）は（ｂ）の矢印Ａ方向から視た正面図である。
【図４】同上収納装置の蓋体を示し、（ａ）は平面図、（ｂ）は側面図、（ｃ）は正面図である。
【図５】同上カップ式飲料自動販売機の内部構造の一部を示す正面図である。
【符号の説明】
１３　　原料供給装置
３１　　収納装置
３２　　原料繰出手段
３３　　容器
３４　　蓋体
４１　　容器本体
４２　　開口部
５０　　案内部
５２　　係合受部
５３　　係合孔
５５　　フック受部
５８　　蓋部
６３　　パッキング
６７　　係合部
６８　　係合突部
６９　　ガイド部
７１　　摘み部
７２　　フック部
７４　　操作部
【図１】
2004035028.tif 000003
【図２】
2004035028.tif 000004
【図３】
2004035028.tif 000005
【図４】
2004035028.tif 000006
【図５】
2004035028.tif 000007